(57)【要約】【課題】画像形成装置のプリンタ制御コード設定を操作パネルや管理端末からの操作を行わずに行う。【解決手段】画像形成装置１に取り付けられる給紙カセット１５などの部材装置に、プリンタ制御コード設定に必要な情報を記憶させた記憶具であるＲＦＩＤ１３を取り付け、画像形成装置本体にその読取具１１を取り付ける。画像形成装置が起動するとＲＦＩＤ１３からの情報を読取具１１が読み取り、その情報に基づき画像形成装置１のプリンタ制御コード設定を行う。この方法により、画像形成装置のモデル及び出荷先に合った情報が書き込まれたＲＦＩＤ１３のついた給紙カセット１５を用意するだけで、操作パネルからのメニュー操作によるプリンタ制御コード設定の行程が不要となる。【選択図】図１
2007160903.tif 000002
【特許請求の範囲】
【請求項１】
内部データのプリンタ制御コード設定により、該プリンタ制御コードに対応した出力が可能な装置本体と、前記装置本体に対し任意に着脱可能な部材とを備え、前記部材を前記装置本体に装着することで画像形成出力が可能となる画像形成装置において、
前記部材に前記プリンタ制御コード設定に必要な情報を記憶する記憶具を搭載し、
前記装置本体に、前記記憶具を読み取ることのできる読取具を搭載し、
前記部材が前記装置本体に装着された時に前記読取具が前記記憶具の情報を読み取り可能となり、読み取られた情報を用いて前記プリンタ制御コード設定を行うことを特徴とする記憶具による内部プリンタ制御コード設定を行う画像形成装置。
【請求項２】
請求項１記載の記憶具による内部プリンタ制御コード設定を行う画像形成装置であって、
前記内部プリンタ制御コードが、
イーエスシーピー（ＥＳＣ／Ｐ）（登録商標）であるか、
又は、
ピーシーピーアール（ＰＣ−ＰＲ）（登録商標）であるか、
又は、
エヌイーシーエヌエム（ＮＥＣ  ＮＭ）である
ことを特徴とする記憶具による内部プリンタ制御コード設定を行う画像形成装置。
【請求項３】
請求項１〜２記載の記憶具による内部プリンタ制御コード設定を行う画像形成装置であって、
前記記憶具が、
アールエフアイディー（ＲＦＩＤ）である
ことを特徴とする記憶具による内部プリンタ制御コード設定を行う画像形成装置。
【発明の詳細な説明】
【技術分野】
【０００１】
本発明は、コピー機、プリンタ、ファクシミリ及びこれらの複合機などの画像形成装置に係わり、特に記憶具による内部プリンタ制御コード設定を行う画像形成装置に関する。
【背景技術】
【０００２】
コピー機、プリンタ、ファクシミリ及びこれらの複合機などの画像形成装置においては、画像を出力する際にプリスクライブ（登録商標）などのプリンタ言語によってページを記述する方法以外に、管理端末装置から送信されるＥＳＣ／Ｐ（登録商標）などのプリンタ制御コードにより画像を出力する方法がある。画像形成装置内には、前記プリンタ制御コードを解釈するプリンタドライバを搭載して、プリンタドライバが印刷機構部に制御命令を発して画像出力を行う。
【０００３】
プリンタ制御コードには、ＥＳＣ／Ｐ（登録商標）、ＰＣ−ＰＲ系（登録商標）、ＮＥＣ  ＮＭ系などの複数の制御コードがあり、各プリンタ制御コードには、それに対応したプリンタ制御コードのプリンタドライバが必要であり、通常画像形成装置には複数のプリンタドライバが搭載されている。
【０００４】
画像形成装置では、どのプリンタ制御コードを使用するか、また、どのプリンタ制御コードを初期設定とするかについては、そのプリンタのモデル、出荷地域などによって異なる。これまで、その設定を行うために、出荷前に装置を開梱して、電源をつないで装置を起動して、装置が立ち上がると操作パネルのメニューでプリンタ制御コード設定をする行程が必要であった。
【０００５】
また、操作パネルを持たない装置では、これらの設定を行うために管理端末装置であるパーソナルコンピュータを用意し、画像形成装置を立ち上げ、管理端末装置と接続してプリンタ制御コード設定を変更する煩雑な行程が必要であった。
【０００６】
これらの問題の改善策として、画像形成装置の交換可能な消耗材ユニットに記憶具を取り付け、画像形成装置本体でその記憶具の情報を読み取り、画像形成装置の出荷地域に合わせた使用温度条件、紙厚や表示言語の設定を行う方法があった（特許文献１参照）。
【０００７】
また、複合機の操作を行う際に、操作者が携帯したメモリカードの情報を複合機本体が読み取り、メモリカードで特定されたユーザの認識情報に基づいて、設定された出力形式が選択され、操作パネルの表示が変更される方法があった（特許文献２参照）。
【０００８】
特許文献１の方法では、使用温度条件、紙厚、表示言語の設定はできるが、プリンタ制御コードの設定を行うために、依然として操作パネルからの設定かまたは、管理端末装置を接続しての設定を行わなければならなかった。
【０００９】
また、特許文献２の方法では、出力形式や操作パネルの言語表示の変更のみが可能であり、複合機のプリンタ制御コード設定はユーザ自身が行わなければならなかった。
【００１０】
【特許文献１】特開２００４−３４７９４０号公報
【特許文献２】特開２００５−２４４４８９号公報
【発明の開示】
【発明が解決しようとする課題】
【００１１】
解決しようとする問題点は、画像形成装置において装置本体のプリンタ制御コード設定を、操作パネル、管理端末装置等からの操作により行わなければならない点である。
【課題を解決するための手段】
【００１２】
画像形成装置において、プリンタ制御コード設定などの装置の内部設定を操作パネルまたは管理端末装置からの操作を行わずとも設定可能とするため、部材にプリンタ制御コード設定に必要な情報を記憶する記憶具を搭載し、装置本体に、前記記憶具を読み取ることのできる読取具を搭載し、部材が装置本体に装着された時に該読取具が該記憶具の情報を読み取り可能となり、読み取られた情報を用いて装置本体の前記プリンタ制御コード設定を行うことを最も主要な特徴とする。
【発明の効果】
【００１３】
本発明の画像形成装置は、部材にプリンタ制御コード設定に必要な情報を記憶する記憶具を搭載し、装置本体に、前記記憶具を読み取ることのできる読取具を搭載し、部材が装置本体に装着された時に該読取具が該記憶具の情報を読み取り可能となり、読み取られた情報を用いて装置本体の前記プリンタ制御コード設定を行うことを特徴とするため、画像形成装置において装置本体の内部のプリンタ制御コード設定を操作パネルまたは管理端末装置からの操作を行わずとも設定できる利点がある。
【発明を実施するための最良の形態】
【００１４】
装置本体内部のプリンタ制御コード設定を操作パネルまたは管理端末装置からの操作を行わずとも設定できるようにするという目的を、部材と記憶具及び読取具を用いて実現した。
【実施例１】
【００１５】
［装置の構成］
実施例１として、着脱自在の部材として給紙カセットにＲＦＩＤを搭載した場合について説明する。
【００１６】
図１は、本発明による実施例１の装置構成を示した図である。画像形成装置１は、筐体２内の上部側に点線で囲まれた印刷を行う印刷機構部３を備えている。筐体２の側面には、印刷された用紙を受け取る排紙トレイ５が取り付けられている。印刷機構部３の用紙供給側は、用紙を印刷機構部３に送り込む給紙機構部７を備えている。
【００１７】
筐体２の下部には、カセット収容部８が形成されている。カセット収容部８には、任意に着脱可能な部材である給紙カセット１５が収容されている。給紙カセット１５は、用紙９を保持する役割を持つと共にプリンタ制御コード設定に必要な情報を記憶する記憶具としてのＲＦＩＤ１３ａが搭載されている。給紙カセット１５は図１の右方向からカセット収容部８内に対し出し入れ可能となっている。筐体２のカセット収容部８には、奥壁１６に読み取り具であるＲＦＩＤリーダ１１ａが取り付けられている。このＲＦＩＤリーダ１１ａは、給紙カセット１５がカセット収容部８に挿入された状態においてＲＦＩＤ１３ａに相向する。
【００１８】
本装置の印刷の際には、用紙９が給紙カセット１５から給紙機構部７を通り、用紙の搬送経路２１に沿って、印刷機構部３内を通り印刷が行われ、排紙トレイ５に印刷済みの用紙が排出される。
【００１９】
図２に給紙カセット１５を装置から取り出した図を示す。ＲＦＩＤ１３ａは、給紙カセットに粘着面を用いて貼り付けることにより搭載されており、給紙カセット１５が画像形成装置１に挿入されることにより、画像形成装置本体内に搭載されているＲＦＩＤリーダ１１ａがＲＦＩＤ１３ａに記憶されているプリンタ制御コード設定に必要な情報を読み出すことが可能となる。
【００２０】
図３に本実施例で使われる記憶具であるＲＦＩＤについて説明する。ＲＦＩＤ１３は、粘着面を有するラベル３３と、ループ状のアンテナ３５と、アンテナ３５が接続されているＩＣメモリ３７とから構成されており、ＩＣメモリ３７は不揮発性のＲＯＭ、あるいはＥＥＰＲＯＭなどの不揮発性の書き込み可能なメモリと、ＲＦＩＤリーダ１３が発する電磁波にアンテナ３５を介して同調することで電力が供給されデータの交信が行われる同調回路と検波整流回路と制御回路などから構成されている。ＲＦＩＤ１３は一辺が数ｍｍ〜数十ｍｍのように様々な寸法を有するものがあるが状況に応じて選択できる。また、読み取りや書き込みの有効距離も、数ｍｍ〜数十ｃｍのものが存在するが、ＲＦＩＤ１３ａとＲＦＩＤリーダ１１ａとの位置関係に応じて選択すればよい。図１の実施例１では、ＲＦＩＤ１３ａとＲＦＩＤリーダ１１ａが接近して備えられた例を示したが、ＲＦＩＤリーダ１１ａは少なくとも画像形成装置に備えられれば良い。
【００２１】
図４は、本発明による実施例１の画像形成装置のＲＦＩＤの読取に関する構成部品のブロック構成図である。印刷機構部などの機能ブロックについては省略してある。画像形成装置には、情報処理を行うＣＰＵ５１、エラーメッセージなどを表示するための表示部５３、給紙カセット１５が装着されているかを検知するための給紙カセット着脱センサ５５、情報処理に必要な情報を記憶しておくハードディスク及び半導体メモリからなる主記憶部５７、ＲＦＩＤ読取具１１ａ、及びそのアンテナ６１、ＲＦＩＤ１３ａとその内部の構成部品であるＩＣメモリ３７とＲＦＩＤのアンテナ３５が装備されている。
【００２２】
ＲＦＩＤには、どのプリンタ制御コードを使用するかのデータが記憶されている（図６；詳細後述）。
【００２３】
ＲＦＩＤ１３ａは、給紙カセット１５が本体の給紙カセット収容部８に収容されると、画像形成装置本体側に設けられているＲＦＩＤ読取具１１ａとそのアンテナ６１を介してＲＦＩＤ読取具１１ａとの間で無線で交信を行う。ＲＦＩＤ１３ａは、ＲＦＩＤ読取具１１ａが使用する周波数に、ＲＦＩＤのＩＣメモリ３７の同調回路が同調して、データの読み出し書き込みに必要な電力がアンテナ６１、３５を介してＲＦＩＤ読取具１１ａから供給されるため、両者を接続するコネクタや配線が不要になるという利点がある。
【００２４】
［内部プリンタ制御コード設定動作の流れ］
本実施例１による、内部プリンタ制御コード設定動作の流れを図５のフローチャートを使って説明する。
【００２５】
画像形成装置の電源を投入すると、画像形成装置に給紙カセットが装着されているかどうかを給紙カセット着脱センサ５５により検知し、その結果を判定する段階、ステップＳ１が実行される。
【００２６】
判定結果がＮＯの場合、給紙カセットが挿入されておらず、ＲＦＩＤの情報も読み取れないと判断し、内部データのプリンタ制御コード設定を主記憶部にあらかじめ設定されているデフォルト設定（例えばＥＳＣ／Ｐ（登録商標）のみ使用）のままにして、『給紙カセットが無い』旨のメッセージを表示部５３に表示する段階、ステップＳ３が実行され設定を終了する。
【００２７】
給紙カセットが装着されているかどうかの判定（Ｓ１）がＹＥＳの場合は、ＲＦＩＤ読取具１１ａにＲＦＩＤ１３の内容を読み込ませる段階、ステップＳ５が実行される。
【００２８】
次にＲＦＩＤ１３の内容が正常に読み込めたかを判定する段階、ステップＳ７が実行される。
【００２９】
判定結果がＮＯの場合、ＲＦＩＤの情報が読み取れないと判断し、内部データのプリンタ制御コード設定を主記憶部にあらかじめ設定されているデフォルト設定（例えばＥＳＣ／Ｐ（登録商標）のみ使用）のままにして、『ＲＦＩＤが読めない』旨のメッセージを表示部５３に表示する段階、ステップＳ９が実行され設定を終了する。
【００３０】
通常はこのようなケースは起こらないはずであるが、ＲＦＩＤ読取具１１ａが故障していたり、ＲＦＩＤ１３が給紙カセットよりはがされていたりした場合に備えて、この段階が設けてある。
【００３１】
次に、ＲＦＩＤ１３の内容を正常に読み込めた段階について説明する。ＲＦＩＤ１３の内容(図６)が正常に読み込まれた場合（Ｓ７の判定がＹＥＳ）、その内容にあるプリンタ制御コード設定データを、主記憶部にある内部データのプリンタ制御コード設定表に記憶させる段階Ｓ１１が実行され設定を終了する。
【００３２】
Ｓ１１で実際に設定される内容について、具体的な値を使って説明する。
【００３３】
まず、ＲＦＩＤ１３には、図６に示す内容が記憶されている。ＲＦＩＤを識別するためのＲＦＩＤ個別番号。次にプリンタ制御コードについての設定表であるが、第１行にＥＳＣ／Ｐ（登録商標）を使用し、初期設定としての使用言語をＥＳＣ／Ｐ（登録商標）にする。第２行に、ＰＣ−ＰＲ（登録商標）を使用する。第３行にＮＥＣ  ＮＭを使用しないという３プリンタ制御コードについての設定例を示してある。また、以上のＲＦＩＤのデータが正常に読み書きが行われたか否かの判定に使用されるＣＲＣ（Ｃｙｃｌｉｃ  Ｒｅｄｕｎｄａｎｃｙ  Ｃｈｅｃｋ、巡回冗長検査）符号が書き込まれている。
【００３４】
図７には、画像形成装置１本体の主記憶部５７に記録されている内部プリンタ制御コードの設定表と、その更新の様子を示す。図７で示されているように、画像形成装置は、出荷時に使用プリンタ制御コードとして、ＥＳＣ／Ｐ（登録商標）のみを設定しており、初期状態でのプリンタ制御コードをＥＳＣ／Ｐ（登録商標）であると設定されている。前記説明したＳ１１の段階により、図６に示すＲＦＩＤのプリンタ制御コード設定に合わせて、主記憶部内の内部プリンタ制御コードの設定が更新される。その結果、ＰＣ−ＰＲ（登録商標）が使用可能な設定に更新されている。また、対応するプリンタドライバである、ＥＳＣ／Ｐ（登録商標）プリンタドライバおよびＰＣ−ＰＲ（登録商標）プリンタドライバの２ドライバが使用可能な状態に設定される（図７）。初期設定のプリンタ制御コードとしては、ＲＦＩＤデータ読取前と同じくＥＳＣ／Ｐ（登録商標）が設定されている。
【００３５】
［実施例１の効果］
本実施例１により、画像形成装置は、あらかじめ給紙カセットに画像形成装置のモデル及び出荷先に合ったプリンタ制御コード設定を記憶させたＲＦＩＤを貼り付けておくだけで、工場出荷時にモデル及び出荷先ごとの設定を行う必要が無く、ＲＦＩＤに記憶されているプリンタ制御コードの設定によって画像形成装置が立ち上がる。
【実施例２】
【００３６】
図８、図９は本発明実施例２に係わり、図８はＲＦＩＤリーダ１１ｂを電源ケーブル差込口１７側面に装着した画像形成装置の図である。図９は、本発明の記憶具としてＲＦＩＤ１３ｂを電源ケーブル１９側面に装着した画像形成装置の図である。
［装置の構成］
実施例２として、着脱自在の部材として電源ケーブル１７にＲＦＩＤ１３ｂを搭載した場合について説明する。
【００３７】
実施例２においても図１に示されている画像形成装置１の印刷機構部３、排紙トレイ５、給紙機構部７などは実施例１と同じである。
【００３８】
実施例２では、図９に示すようにＲＦＩＤ１３ｂを着脱可能な部品であるところの電源ケーブルのコネクタ１９の側面部分に接着等により搭載した。ＲＦＩＤ１３ｂを読み取るためのＲＦＩＤリーダ１１ｂは電源ケーブル差込口１７の内部側面に接着等により搭載した（図８、図９）。従って、コネクタ１９を電源ケーブル差込口１７に差し込むと、ＲＦＩＤ１３ｂがＲＦＩＤリーダ１１ｂに対向し、読取が可能となる。
【００３９】
［実施例２の装置の動作の流れ］
実施例２における装置の動作の流れおよび内部データのプリンタ制御コード設定については実施例１において説明したのと同様である。
【００４０】
［実施例２の効果］
本実施例２により、画像形成装置は、あらかじめ電源ケーブルにモデル及び出荷先に合ったプリンタ制御コード設定を記憶させたＲＦＩＤ１３ｂを電源ケーブル１９のコネクタ側面に接着しておくだけで、実施例１と同じ効果が得られ、装置本体の内部のプリンタ制御コード設定を操作パネルまたは管理端末装置からの操作を行わずとも設定できる利点がある。
［その他］
任意に着脱可能な部材としては、トナーカートリッジ等の消耗品も適用することができる。
【００４１】
記憶具にＲＦＩＤを用いたが、バーコードや二次元バーコードを用いても同様の発明効果が得られる。
【図面の簡単な説明】
【００４２】
【図１】本発明の記憶具としてＲＦＩＤを給紙カセットに搭載した画像形成装置の構成図である。（実施例１）。
【図２】図１の実施例のＲＦＩＤを給紙カセットに搭載した取り付け位置を給紙カセットが着脱された状態で説明した図である（実施例１）。
【図３】ＲＦＩＤについて説明した図である（実施例１及び２）。
【図４】本発明のブロック構成図である（実施例１及び２）。
【図５】本発明の画像形成装置の動作のフローチャートである（実施例１）。
【図６】ＲＦＩＤに記憶されているデータである（実施例１及び２）。
【図７】内部データのプリンタ制御コード設定表の更新の説明である（実施例１及び２）。
【図８】ＲＦＩＤリーダを電源ケーブル差込口側面に装着した画像形成装置の図である。（実施例２）。
【図９】ＲＦＩＤを電源ケーブルに装着した画像形成装置の図である（実施例２）。
【符号の説明】
【００４３】
１  画像形成装置
１１ａ  給紙カセットに装着されたＲＦＩＤリーダ（読取具）
１１ｂ  電源ケーブルコネクタに装着されたＲＦＩＤリーダ（読取具）
１３  ＲＦＩＤ
１３ａ  給紙カセットに装着されたＲＦＩＤ（記憶具）
１３ｂ  電源ケーブルコネクタに装着されたＲＦＩＤ（記憶具）
１５  給紙カセット
１７  電源ケーブル差込口
１９  電源ケーブル
【図１】
2007160903.tif 000003
【図２】
2007160903.tif 000004
【図３】
2007160903.tif 000005
【図４】
2007160903.tif 000006
【図５】
2007160903.tif 000007
【図６】
2007160903.tif 000008
【図７】
2007160903.tif 000009
【図８】
2007160903.tif 000010
【図９】
2007160903.tif 000011